(57)【要約】【課題】試し印刷時に高価な用紙が無駄になることを抑制する印刷システムを提供する。【解決手段】印刷システムは、ジョブに従って少なくとも、複数ページからなる一組の印刷物を形成することが可能な印刷システムであって、用紙を給紙する給紙部と、ジョブに従って、複数ページのうちの一部のページに対応する原稿画像を用紙に印字する画像形成部と、ジョブに従って複数ページのうちの残りのページに対応する完成印字用紙を画像形成部から排出された用紙に挿入する挿入部とを備える。挿入部には、給紙部から用紙の給紙が可能であり、画像形成部は、ジョブ前のテストジョブに従って、複数ページのうちの一部のページに対応する原稿画像を用紙に印字し、挿入部は、テストジョブに従って、複数ページのうちの残りのページに対応する完成印字用紙の代わりに給紙部から給紙された用紙を挿入する。【選択図】図２
2013164776.tif 000002
【特許請求の範囲】
【請求項１】
ジョブに従って少なくとも、複数ページからなる一組の印刷物を形成することが可能な印刷システムであって、
用紙を給紙する給紙部と、
前記ジョブに従って、前記複数ページのうちの一部のページに対応する原稿画像を前記用紙に印字する画像形成部と、
前記ジョブに従って前記複数ページのうちの残りのページに対応する完成印字用紙を前記画像形成部から排出された用紙に挿入する挿入部とを備え、
前記挿入部には、前記給紙部から用紙の給紙が可能であり、
前記画像形成部は、前記ジョブ前のテストジョブに従って、前記複数ページのうちの一部のページに対応する原稿画像を前記用紙に印字し、
前記挿入部は、前記テストジョブに従って、前記複数ページのうちの残りのページに対応する完成印字用紙の代わりに前記給紙部から給紙された前記用紙を挿入する、印刷システム。
【請求項２】
前記挿入部は、前記テストジョブに従って、前記複数ページのうちの残りのページに対応する完成印字用紙毎に、前記給紙部から給紙された印字されていない前記用紙を挿入する、請求項１記載の印刷システム。
【請求項３】
前記画像形成部は、前記テストジョブに従って、前記複数ページのうちの残りのページに対応する所定画像を前記用紙に印字し、
前記挿入部は、前記テストジョブに従って、前記複数ページのうちの残りのページに対応する完成印字用紙の代わりに前記画像形成部で前記所定画像が印字された前記給紙部から給紙された用紙を挿入する、請求項１記載の印刷システム。
【請求項４】
前記所定画像は、用紙の挿入枚数に関する情報である、請求項３記載の印刷システム。
【請求項５】
前記所定画像は、前記完成印字用紙のサムネイル画像である、請求項３記載の印刷システム。
【発明の詳細な説明】
【技術分野】
【０００１】
本発明は、印刷システムに関し、複数ページからなる一組の印刷物を形成することが可能な印刷システムに関する。
【背景技術】
【０００２】
プリントオンデマンド（ＰＯＤ）の領域では、印刷ジョブの白黒ページをモノクロ印刷機（モノクロプリンター）、カラーページをカラー印刷機（カラープリンター）で分割して印刷し、印刷後に両者をマージすることで最終的に印刷物を完成させる場合がある。この最後の工程（マージ）を自動化するための仕組みとして、後から用紙（挿入紙）を挿入することが可能なポストインサーターが用いられている。
【０００３】
具体的には、印刷済み用紙（例えばカラーの完成印字用紙）をポストインサーターにセットしておき、この用紙を、これから印刷するジョブ（例えばモノクロの印字用紙）の何ページ目に何枚挿入するかという情報とともに印刷を実行することで、所望の印刷物を完成することができる。
【０００４】
この種の印刷物を完成させる場合、挿入するページを完成印字用紙（完成原稿）として先に印刷しておく必要があり、一般的に挿入される側の用紙（モノクロの印字用紙）よりも高コストである。
【０００５】
この全体のジョブの印刷を完成させる際には、試し印刷（テスト印刷）を繰り返し、ページの面付けの確認や表裏の位置あわせの調整等を行なうが、このときに通常の試し印刷を実行すると高価な完成印字用紙が挿入され、無駄が生じることになる。
【０００６】
一方で、試し印刷時に給紙トレイを変更することで高価な用紙を使用しないようにする先行例（特許文献１および２）も存在するが印刷した用紙に別系統から用紙を挿入するポストインサーターを利用する方式については何ら開示されていない。
【先行技術文献】
【特許文献】
【０００７】
【特許文献１】特開平８−１０１５４２号公報
【特許文献２】特開２００５−２３４８１２号公報
【発明の概要】
【発明が解決しようとする課題】
【０００８】
本発明は、試し印刷の際に、ポストインサーターを備えた印刷システムにおいて、試し印刷の際に高価な用紙が無駄になることを抑制することが可能な印刷システムを提供することを目的とする。
【課題を解決するための手段】
【０００９】
本発明のある局面に従う印刷システムは、ジョブに従って少なくとも、複数ページからなる一組の印刷物を形成することが可能な印刷システムであって、用紙を給紙する給紙部と、ジョブに従って、複数ページのうちの一部のページに対応する原稿画像を用紙に印字する画像形成部と、ジョブに従って複数ページのうちの残りのページに対応する完成印字用紙を画像形成部から排出された用紙に挿入する挿入部とを備える。挿入部には、給紙部から用紙の給紙が可能であり、画像形成部は、ジョブ前のテストジョブに従って、複数ページのうちの一部のページに対応する原稿画像を用紙に印字し、挿入部は、テストジョブに従って、複数ページのうちの残りのページに対応する完成印字用紙の代わりに給紙部から給紙された用紙を挿入する。
【００１０】
好ましくは、挿入部は、テストジョブに従って、複数ページのうちの残りのページに対応する完成印字用紙毎に、給紙部から給紙された印字されていない用紙を挿入する。
【００１１】
好ましくは、画像形成部は、テストジョブに従って、複数ページのうちの残りのページに対応する所定画像を用紙に印字し、挿入部は、テストジョブに従って、複数ページのうちの残りのページに対応する完成印字用紙の代わりに画像形成部で所定画像が印字された給紙部から給紙された用紙を挿入する。
【００１２】
特に、所定画像は、用紙の挿入枚数に関する情報である。
特に、所定画像は、完成印字用紙のサムネイル画像である。
【発明の効果】
【００１３】
印刷システムにおいて、試し印刷の際に高価な用紙が無駄になることを抑制することが可能である。
【図面の簡単な説明】
【００１４】
【図１】本発明の実施の形態に従うシステムの概略について説明する図である。
【図２】本発明の実施の形態に従う通常の印刷物および試し印刷時の印刷物のページ構成について説明する図である。
【図３】本発明の実施の形態に従うＰＣ２のディスプレイにおいて表示されるプリンタドライバの設定画面について説明する図である。
【図４】本発明の実施の形態に従うＰＣ２のディスプレイにおいて表示されるプリンタドライバの別の設定画面について説明する図である。
【図５】本発明の実施の形態に従う印刷ジョブに含まれるジョブチケットの具体例について説明する図である。
【図６】本発明の実施の形態に従う印刷システムにおける通常の印刷時の動作について説明する図である。
【図７】本発明の実施の形態に従う印刷ジョブを実行した場合の通常の印刷物のページ構成を説明する図である。
【図８】本発明の実施の形態に従う印刷システムにおける試し印刷時（白紙）の動作について説明する図である。
【図９】本発明の実施の形態に従う印刷ジョブを実行した場合の試し印刷（白紙）の印刷物のページ構成を説明する図である。
【図１０】本発明の実施の形態に従う印刷システムにおける試し印刷時（設定）の動作について説明する図である。
【図１１】本発明の実施の形態に従う印刷ジョブを実行した場合の試し印刷（設定）の印刷物のページ構成を説明する図である。
【図１２】本発明の実施の形態に従う印刷システムにおける試し印刷時（サムネイル）の動作について説明する図である。
【図１３】本発明の実施の形態に従う印刷ジョブを実行した場合の試し印刷（サムネイル）の印刷物のページ構成を説明する図である。
【図１４】本発明の実施の形態に従う印刷ジョブの送信について説明するフロー図である。
【図１５】本発明の実施の形態の変形例１に従うページデータの構成について説明する図である。
【図１６】本発明の実施の形態の変形例に従う印刷システムにおける試し印刷時（サムネイル）の動作について説明する図である。
【図１７】本発明の実施の形態の変形例２に従う印刷システムにおける通常の印刷時の動作処理について説明する図である。
【発明を実施するための形態】
【００１５】
以下に図面を参照しつつ本発明の実施の形態について説明する。以下の説明においては同一の部品および構成要素には同一の符号を付してある。それらの名称および機能も同一であるものとする。
【００１６】
図１は、本発明の実施の形態に従うシステムの概略について説明する図である。
図１を参照して、本発明の実施の形態に従うシステムは、端末装置であるＰＣ（Personal  Computer）２と、印刷システム１０とを含む。ＰＣ２と印刷システム１０とはネットワークで接続されている。なお、ネットワークは、有線でも無線でも構わない。
【００１７】
ＰＣ２から印刷システム１０で実行する印刷ジョブが与えられる。印刷ジョブを受けた印刷システム１０は、印刷ジョブに従うジョブ処理を実行する。本例においては、印刷ジョブとしてジョブチケットが送信され、当該ジョブチケットの内容に従って印刷等の処理を実行する。
【００１８】
印刷システム１０は、画像形成装置１２と、ポストインサーター１６を含む後処理装置１８とを有する。画像形成装置１２には、原稿画像を印字するための用紙が収容された給紙部１４が設けられている。給紙部１４に収容された用紙が必要に応じて印字されて後処理装置１８に出力される。なお、画像形成装置１２は、本例においてはモノクロプリンターであるものとする。
【００１９】
後処理装置１８は、指示に従って折り処理、綴じ処理、パンチ処理等を実行する。また、後処理装置１８には、ポストインサーター１６が設けられており、当該ポストインサーター１６には、例えば、別のカラー印刷が可能なカラープリンター（画像形成装置）で形成された完成印字用紙が載置される。指示に従ってポストインサーター１６に載置された完成印字用紙は、後処理装置１８内で画像形成装置１２から出力された用紙に挿入される。そして、必要に応じて折り処理等が実行されて最終の印刷物として外部に排出される。
【００２０】
図２は、本発明の実施の形態に従う通常の印刷物および試し印刷時の印刷物のページ構成について説明する図である。
【００２１】
図２を参照して、１つのジョブとして、ポストインサーター１６を用いた通常の印刷物について説明する。
【００２２】
一例として、左から右の順にページ番号が増えるものとする。そして、本例においては、１つのジョブとして、例えば、ページＰ１−４のモノクロページと、ページＰ５のモノクロページの間に、４枚のカラーページが挿入される。また、ページＰ７のモノクロページとページＰ８のモノクロページの間に３枚のカラーページが挿入される。本例においては、モノクロページが画像形成装置１２で形成され、ポストインサーター１６によりカラーページが挿入されて１つのジョブとしての印刷物が完成する。
【００２３】
本実施の形態においては、当該通常の印刷物に対する試し印刷として目的に応じて以下の試し印刷物を出力する。
【００２４】
（Ａ）カラーページの代わりに白紙の用紙を挿入する。
（Ｂ）カラーページを挿入する枚数分、白紙の用紙を枚数分挿入する代わりに、１枚の用紙に挿入する枚数に関する情報（ここでは、一例としてＰＩ挿入×枚数）を印字して出力する。
【００２５】
具体的には、カラーページを４枚挿入する場合には、挿入する枚数に関する情報として、ＰＩ挿入×４枚を印字した用紙を挿入する。また、カラーページを２枚挿入する場合には、挿入する枚数に関する情報として、ＰＩ挿入×２枚を印字した用紙を挿入する。
【００２６】
（Ｃ）挿入するカラーページのサムネイル画像を印字する。
具体的には、４枚のカラーページのサムネイル画像を印字した用紙を挿入する。また、２枚のカラーページのサムネイル画像を印字した用紙を挿入する。
【００２７】
また、合わせてここでは、用紙に関する情報も印字されている場合が示されている。
上記の試し印刷を実行する方式について具体的に説明する。
【００２８】
＜印刷設定＞
図３は、本発明の実施の形態に従うＰＣ２のディスプレイにおいて表示されるプリンタドライバの設定画面について説明する図である。
【００２９】
図３を参照して、設定画面１００において、出力方法を選択するボタン１０２が設けられており、当該ボタン１０２を選択することによりドロップダウンされて複数の項目の中から出力方法を選択することが可能である。本例においては、一例として、通常印刷と、試し印刷とを選択することが可能である。本例においては、試し印刷の一例として、「試し印刷（白紙）」、「試し印刷（設定）」、「試し印刷（サムネイル）」を指定することが可能に設けられている。「試し印刷（白紙）」は、図２（Ａ）に対応する処理を指定するものである。「試し印刷（設定）」は、図２（Ｂ）に対応する処理を指定するものである。「試し印刷（サムネイル）」は、図２（Ｃ）に対応する処理を指定するものである。
【００３０】
なお、デフォルトでは、通常印刷に設定されているものとする。
図４は、本発明の実施の形態に従うＰＣ２のディスプレイにおいて表示されるプリンタドライバの別の設定画面について説明する図である。
【００３１】
図４（Ａ）を参照して、設定画面３００において、挿入紙を設定する画面が示されている。
【００３２】
当該設定画面３００においては、ページ単位設定のチェックボックス３０２と、編集ボタン３０４とが設けられている場合が示されている。
【００３３】
ページ単位設定のチェックボックス３０２にチェックして、編集ボタン３０４を選択することにより次の画面に遷移する。
【００３４】
図４（Ｂ）を参照して、挿入紙のページ番号等を設定する設定画面３０１が示されている。
【００３５】
当該設定画面３０１において、挿入するページ番号を指定する欄３０６と、当該ページ番号において挿入する挿入枚数を指定する欄３０８と、挿入するトレイを選択するトレイ選択ボタン３１０とが設けられている場合が示されている。
【００３６】
本例においては、ページ番号を指定する欄３０６において、ページ番号「４」を指定した場合が示されている。また、挿入枚数として４枚を設定した場合が示されている。
【００３７】
また、設定画面３０１の設定内容を反映させるためのＯＫボタン３１１が設けられている。
【００３８】
図４（Ｃ）を参照して、ここでは、挿入するページ番号等を設定する設定画面３０１において、トレイ選択ボタン３１０を選択した場合が示されている。ここでは、当該ボタンを選択することにより選択可能な複数のトレイを指定することが可能である。ここでは、一例として、ポストインサーター１６のＰＩトレイＢを選択した場合が示されている。
【００３９】
そして、図４（Ｂ）で説明したＯＫボタンを選択することにより挿入紙に関する設定が完了する。具体的には、４ページ目の後に４枚の挿入紙をポストインサーター１６のＰＩトレイＢから挿入するように指示することが可能となる。同様の手順で、７ページ目の後に２枚の挿入紙をポストインサーター１６のＰＩトレイＢから挿入するように指示することが可能となる。そして、当該指示が含まれたジョブチケットが印刷ジョブに含まれて印刷システム１０に送信される。
【００４０】
図５は、本発明の実施の形態に従う印刷ジョブに含まれるジョブチケットの具体例について説明する図である。
【００４１】
図５を参照して、ここではジョブチケットの一例として、画像形成装置１２における印字のための用紙の給紙部としてトレイＡが指定されるとともに、用紙の挿入に関するページ指示として、ポストインサーター１６に設けられるＰＩトレイＢが指定され、用紙の４ページ目から４枚挿入し、また、７ページ目から２枚挿入する指示が与えられている場合が示されている。
【００４２】
図６は、本発明の実施の形態に従う印刷システムにおける通常の印刷時の動作について説明する図である。
【００４３】
図６を参照して、モノクロページ（ＢＷ）の画像データとともに、ジョブチケットを含む印刷ジョブが印刷システム１０に送信される場合が示されている。
【００４４】
ジョブチケットについて、用紙は、トレイＡから給紙して印刷、４ページ目の後にＰＩトレイＢから４枚給紙、７ページ目の後にＰＩトレイＢから２枚給紙する指示を含む。そして、ポストインサーター１６のＰＩトレイＢにカラーページの完成印字用紙が載置される。
【００４５】
図７は、本発明の実施の形態に従う印刷ジョブを実行した場合の通常の印刷物のページ構成を説明する図である。
【００４６】
図７を参照して、ページＰ１−４は、モノクロ（ＢＷ）ページ、ページＰ５−８はカラー（Ｃ）ページ、ページＰ９−１１は、モノクロ（ＢＷ）ページ、ページＰ１２，１３はカラー（Ｃ）ページ、ページＰ１４はモノクロ（ＢＷ）ページとなる。
【００４７】
すなわち、指示に従って、モノクロページの用紙に完成印字用紙を挿入した印刷物が完成する。
【００４８】
次に、試し印刷の場合について説明する。
図８は、本発明の実施の形態に従う印刷システムにおける試し印刷時（白紙）の動作について説明する図である。
【００４９】
図８を参照して、モノクロページ（ＢＷ）の画像データとともに、ジョブチケットを含む印刷ジョブが印刷システム１０に送信される場合が示されている。
【００５０】
ジョブチケットについて、用紙は、トレイＡから給紙して印刷、４ページ目の後にトレイＡから４枚給紙、７ページ目の後にトレイＡから２枚給紙する指示を含む。
【００５１】
図９は、本発明の実施の形態に従う印刷ジョブを実行した場合の試し印刷（白紙）の印刷物のページ構成を説明する図である。
【００５２】
図９を参照して、ページＰ１−４は、モノクロ（ＢＷ）ページ、ページＰ５−８は白紙ページ、ページＰ９−１１は、モノクロ（ＢＷ）ページ、ページＰ１２，１３は白紙ページ、ページＰ１４はモノクロ（ＢＷ）ページである。
【００５３】
当該構成により、カラーページの完成印字用紙の挿入紙に用いずに、白紙を挿入した試し印刷を実行することが可能であるため無駄に完成印字用紙を消費することがない。
【００５４】
また、白紙を挿入した試し印刷であるため出力結果の厚みを考慮した試し印刷としても有効である。例えば、くるみ製本やステイプル留め等のジョブを実行する際に実際の完成物に近い試し印刷が可能である。
【００５５】
図１０は、本発明の実施の形態に従う印刷システムにおける試し印刷時（設定）の動作について説明する図である。
【００５６】
図１０を参照して、モノクロページ（ＢＷ）の画像データとともに、ジョブチケットを含む印刷ジョブが印刷システム１０に送信される場合が示されている。
【００５７】
ジョブチケットについて、用紙は、トレイＡから給紙して印刷、４ページ目の後にトレイＡから１枚給紙して、挿入紙の枚数に関する情報を印刷、７ページ目の後にトレイＡから１枚給紙して、挿入紙の枚数に関する情報を印刷する指示を含む。
【００５８】
図１１は、本発明の実施の形態に従う印刷ジョブを実行した場合の試し印刷（設定）の印刷物のページ構成を説明する図である。
【００５９】
図１１を参照して、ページＰ１−４は、モノクロ（ＢＷ）ページ、その後に、ポストインサーター１６から挿入される枚数に関する情報（ＰＩ挿入×４枚）が印字されたページ、ページＰ９−１１は、モノクロ（ＢＷ）ページ、その後に、ポストインサーター１６から挿入される枚数に関する情報（ＰＩ挿入×２枚）が印字されたページ、ページＰ１４はモノクロ（ＢＷ）ページである。
【００６０】
当該構成により、カラーページの完成印字用紙を挿入紙に用いずに、試し印刷を実行することが可能であるため無駄に完成印字用紙を消費することがない。また、挿入される枚数に関する情報を１枚の用紙に印字するのみであるため白紙の枚数を減らすことが可能であり、コストを削減することが可能である。
【００６１】
図１２は、本発明の実施の形態に従う印刷システムにおける試し印刷時（サムネイル）の動作について説明する図である。
【００６２】
図１２を参照して、モノクロページ（ＢＷ）の画像データとともに、ジョブチケットを含む印刷ジョブが印刷システムに送信される場合が示されている。
【００６３】
ジョブチケットについて、用紙は、トレイＡから給紙して印刷、４ページ目の後にトレイＡから１枚給紙して、挿入紙のサムネイル画像を印刷、７ページ目の後にトレイＡから１枚給紙して、挿入紙のサムネイル画像を印刷する指示を含む。なお、本例の場合には、完成印字用紙に関するデータを画像形成装置が有している必要がある。
【００６４】
図１３は、本発明の実施の形態に従う印刷ジョブを実行した場合の試し印刷（サムネイル）の印刷物のページ構成を説明する図である。
【００６５】
図１３を参照して、ページＰ１−４は、モノクロ（ＢＷ）ページ、その後に、ポストインサーター１６から挿入される完成印字用紙のサムネイル画像が印字されたページ、ページＰ９−１１は、モノクロ（ＢＷ）ページ、その後に、ポストインサーター１６から挿入される完成印字用紙のサムネイル画像が印字されたページ、ページＰ１４はモノクロ（ＢＷ）ページである。なお、サムネイル画像を印字するために予め画像形成装置１２は、完成印字用紙の画像データを格納しているものとする。あるいは、ＰＣ２からモノクロページ（ＢＷ）の画像データだけでなく、挿入するカラーページ（Ｃ）の画像データを送信するようにしても良い。
【００６６】
当該構成により、カラーページの完成印字用紙を挿入紙に用いずに、試し印刷を実行することが可能であるため無駄に完成印字用紙を消費することがない。また、サムネイル画像を印字するため挿入される用紙のイメージを容易に把握することが可能である。さらに、挿入紙の枚数を削減することが可能であるためコストを削減することも可能である。
【００６７】
図１４は、本発明の実施の形態に従う印刷ジョブの送信について説明するフロー図である。
【００６８】
図１４を参照して、まず、試し印刷かどうかを判断する（ステップＳ２）。
ステップＳ２において試し印刷であると判断した場合（ステップＳ２においてＹＥＳ）には、ステップＳ６に進む。
【００６９】
一方、ステップＳ２において、試し印刷で無いと判断した場合（ステップＳ２においてＮＯ）には、ステップＳ４に進む。すなわち、通常印刷の場合である。ステップＳ４において、通常のジョブチケットを生成する。この場合、例えば挿入紙に関する設定に関してユーザーがプリンタドライバで設定した内容に基づいて生成される。そして、モノクロページの画像データとともにジョブチケットを含む印刷ジョブが印刷システム１０に送信される。そして、処理を終了する（エンド）。
【００７０】
一方、試し印刷である場合には、ステップＳ６において、試し印刷（白紙）が指定されたかどうかを判断する（ステップＳ６）。
【００７１】
ステップＳ６において、試し印刷（白紙）が指定されたと判断した場合（ステップＳ６においてＹＥＳ）には、白紙用のジョブチケットを生成する。具体的には、例えば、給紙トレイとして指定されているポストインサーター１６のＰＩトレイＢをトレイＡに変更する。なお、本例においては、トレイＡに設定する場合について説明するが、白紙が収納されているトレイであればどのようなトレイに変更するようにしても良い。そして、モノクロページの画像データとともにジョブチケットを含む印刷ジョブが印刷システム１０に送信される。そして、処理を終了する（エンド）。
【００７２】
ステップＳ６において、試し印刷（白紙）が指定されていないと判断した場合（ステップＳ６においてＮＯ）には、次に、試し印刷（設定）が指定されたかどうかを判断する（ステップＳ１２）。
【００７３】
ステップＳ１２において、試し印刷（設定）が指定されたと判断した場合（ステップＳ１２においてＹＥＳ）には、設定用のジョブチケットを生成する。具体的には、例えば、給紙トレイとして指定されているポストインサーター１６のＰＩトレイＢをトレイＡに変更する。また、給紙枚数を１枚とする。さらに、挿入される枚数に関する情報（ＰＩ挿入×枚数）を印字する設定に変更する。なお、本例においては、トレイＡに設定する場合について説明するが、白紙が収納されているトレイであればどのようなトレイに変更するようにしても良い。そして、モノクロページの画像データとともにジョブチケットを含む印刷ジョブが印刷システム１０に送信される。そして、処理を終了する（エンド）。
【００７４】
ステップＳ１２において、試し印刷（設定）が指定されていないと判断した場合（ステップＳ１２においてＮＯ）には、次に、試し印刷（サムネイル）が指定されたかどうかを判断する（ステップＳ１６）。
【００７５】
ステップＳ１６において、試し印刷（サムネイル）が指定されたと判断した場合（ステップＳ１６においてＹＥＳ）には、サムネイル用のジョブチケットを生成する。具体的には、例えば、給紙トレイとして指定されているポストインサーター１６のＰＩトレイＢをトレイＡに変更する。また、給紙枚数を１枚とする。さらに、挿入される用紙のサムネイル画像を印字する設定に変更する。なお、本例においては、トレイＡに設定する場合について説明するが、白紙が収納されているトレイであればどのようなトレイに変更するようにしても良い。そして、モノクロページの画像データとともにジョブチケットを含む印刷ジョブが印刷システム１０に送信される。そして、処理を終了する（エンド）。
【００７６】
なお、ステップＳ１６において、試し印刷（サムネイル）が指定されていないと判断した場合（ステップＳ１６においてＮＯ）には、適切でない指定として処理を終了する（エンド）ようにしても良い。また、例えば、ステップＳ１６において、試し印刷（サムネイル）が指定されていた場合であってもサムネイル画像を印字するために必要な画像データが無い場合にも処理を終了するようにしても良い。
【００７７】
（変形例１）
上記の例においては、用紙の挿入をジョブチケットで指定して、画像形成装置側で制御する構成について説明したが、特に当該構成に限られず、挿入されるページをアプリケーション側で作成して画像データのページに追加した印刷ジョブを印刷システム１０に送信する方式としても良い。すなわち、挿入紙としての指定をジョブチケット内では行なわない方式とすることも可能である。
【００７８】
図１５は、本発明の実施の形態の変形例１に従うページデータの構成について説明する図である。
【００７９】
図１５を参照して、本例においては、印刷する全てのページの構成が示されており、ページＰ１−４については、通常のモノクロページ（ＢＷ）の印刷として、ページＰ５−８については、ポストインサーター１６の挿入紙であるカラーページ（Ｃ）、ページＰ９−１１については、通常のモノクロページ（ＢＷ）の印刷として、ページＰ１２，１３はポストインサーター１６の挿入紙であるカラーページ（Ｃ）、ページ１４は、通常のモノクロページ（ＢＷ）の印刷として設定した場合が示されている。
【００８０】
そして、ここでは、印刷するモノクロページと、印刷しないカラーページとが区別されている場合が示されている。
【００８１】
当該情報が含まれた印刷ジョブを印刷システム１０に送信することにより画像形成装置１２で対応するページ目についてモノクロページの印刷を実行し、ポストインサーター１６から対応するページ目についてカラーページを挿入するようにすることも可能である。
【００８２】
そして、当該構成においても上記の試し印刷を適用してカラーページに対応する位置に白紙を挿入する試し印刷（白紙）、挿入される枚数に関する情報を印字する試し印刷（設定）、サムネイル画像を印字する試し印刷（サムネイル）を実行することが可能である。
【００８３】
図１６は、本発明の実施の形態の変形例に従う印刷システムにおける試し印刷時（サムネイル）の動作について説明する図である。
【００８４】
図１６を参照して、モノクロページ（ＢＷ）の画像データと、カラーページ（Ｃ）のサムネイルの画像データと、ジョブチケットを含む印刷ジョブが印刷システムに送信される場合が示されている。
【００８５】
ジョブチケットについて、用紙は、トレイＡから給紙して印刷する指示のみを含む。
当該構成により、カラーページの完成印字用紙を挿入紙に用いずに、試し印刷を実行することが可能であるため無駄に完成印字用紙を消費することがない。また、サムネイル画像を印字するため挿入される用紙のイメージを容易に把握することが可能である。さらに、挿入紙の枚数を削減することが可能であるためコストを削減することも可能である。
【００８６】
（変形例２）
上記の方式においては、カラーの完成印字用紙を予め印刷してポストインサーター１６に載置して、用紙に当該完成印字用紙を挿入する方式について説明したが、アプリケーションにより完成印字用紙の印刷、モノクロページの印刷、完成印字用紙の挿入を一括して指示することも可能である。
【００８７】
図１７は、本発明の実施の形態の変形例２に従う印刷システムにおける通常の印刷時の動作処理について説明する図である。
【００８８】
図１７を参照して、ＰＣ２において、モノクロページ（ＢＷ）の画像データと、カラーページ（Ｃ）の画像データとを含むファイルデータを作成する。そして、ＰＣ２が有しているアプリケーションにより、当該ファイルデータをモノクロページと、カラーページとにページ分離する。そして、当該アプリケーションは、ページ分離の際に、挿入されていたカラーページの位置に対応するジョブチケットを作成する。具体的には、当該ジョブチケットには、４ページ目の後にＰＩトレイから４枚給紙、７ページ目の後にＰＩトレイから２枚給紙する指示が含められる。
【００８９】
そして、（１）ＰＣ２は、ファイルデータについて、ページ分離したカラーページのみをカラープリンターに送信する。カラープリンターは、送信されたカラーページを印刷する。
【００９０】
次に、（２）カラープリンターで出力されたカラーページをモノクロプリンターのＰＩトレイに設置する。
【００９１】
次に、（３）ＰＣ２は、ファイルデータについて、ページ分離したモノクロページと、生成したジョブチケットをモノクロプリンターに送信する。そして、モノクロプリンターは、送信されたモノクロページを印刷する。そして、ジョブチケットに従って、指定された位置にＰＩトレイから印刷済みのカラーページを挿入し、ジョブ全体の印刷を完了する。
【００９２】
当該構成においても上記の試し印刷を適用してカラーページに対応する位置に白紙を挿入する試し印刷（白紙）、挿入される枚数に関する情報を印字する試し印刷（設定）、サムネイル画像を印字する試し印刷（サムネイル）を実行することが可能である。
【００９３】
なお、上記においては、カラープリンターと、モノクロプリンターとがそれぞれ別々に設けられた構成につい手説明したが、カラープリンター一台でも実現可能である。その場合、先にカラーページを印刷して、印刷した用紙をトレイに格納し、後から印刷されるモノクロページに格納したトレイから挿入されるような構成とすることにより実現可能である。
【００９４】
なお、本発明にかかる画像形成装置は、ＭＦＰに限られず、プリンター装置あるいはファクシミリ装置等であってもよい。
【００９５】
なお、コンピュータを機能させて上述のフローで説明したような制御を実行させるプログラムを有するプリンタドライバを提供することも可能である。このようなプログラムは、コンピュータに付属するフレキシブルディスク、ＣＤ−ＲＯＭ（Compact Disk-Read Only Memory）、ＲＯＭ（Read Only Memory）、ＲＡＭ（Random Access Memory）およびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。このような記憶媒体としては、フラッシュメモリ、マスクＲＯＭ、ＥＰＲＯＭ（Electronically Programmable Read-Only Memory）、ＥＥＰＲＯＭ（Electronically Erasable Programmable Read-Only Memory）、ＩＣ（Integrated Circuit）カードなどの半導体記憶媒体、ＣＤ−ＲＯＭ（Compact Disc-Read Only Memory）やＤＶＤ−ＲＯＭ（Digital Versatile Disk-Read Only Memory）などの光学ディスク記憶媒体、ＭＯ（Magnetic Optical Disc）やＭＤ（Mini Disc）などの光磁気ディスク記憶媒体、ＦＤ（Flexible Disk）、磁気テープ、カセットテープなどの磁気記憶媒体を用いることができる。
【００９６】
なお、当該プログラムは、コンピュータのオペレーションシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、プログラムに含まれ得る。
【００９７】
また、当該プログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムでも良い。
【００９８】
提供されるプログラム製品は、ハードディスクなどのプログラム格納部にインストールされて実行される。なお、プログラム製品は、プログラム自体と、プログラムが記録された記録媒体とを含む。
【００９９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１００】
１０  印刷システム、１２  画像形成装置、１４  給紙部、１６  ポストインサーター、１８  後処理装置。
【図１】
2013164776.tif 000003
【図２】
2013164776.tif 000004
【図３】
2013164776.tif 000005
【図４】
2013164776.tif 000006
【図５】
2013164776.tif 000007
【図６】
2013164776.tif 000008
【図７】
2013164776.tif 000009
【図８】
2013164776.tif 000010
【図９】
2013164776.tif 000011
【図１０】
2013164776.tif 000012
【図１１】
2013164776.tif 000013
【図１２】
2013164776.tif 000014
【図１３】
2013164776.tif 000015
【図１４】
2013164776.tif 000016
【図１５】
2013164776.tif 000017
【図１６】
2013164776.tif 000018
【図１７】
2013164776.tif 000019